(57)【要約】【課題】配信スキャナ機能を持つ複写機等において、間違えが生じ易い設定操作を避け、原稿がカラーかモノクロかに応じ各々に適合する処理条件を間違いなく設定し、利用の最適化を図る。【解決手段】スキャナ２で読取られた画像データは、原稿１がカラーかモノクロかを判定する有彩色原稿判定部３とページバッファとしてのメモリＡ４に送出される。スキャナ補正部５はメモリＡから画像データを受けとる時に、有彩色の判定結果を得ているので、各々に適合する色変換を行う。また、判定結果によりスキャナコントローラ１３によるフォーマットＪＰＥＧ／ＢＭＰ変換の設定、階調（２値化）処理の設定を適合させ、誤設定や無駄なデータの配信を防止することができる。【選択図】　　図７
2004112139.tif 000002
【特許請求の範囲】
【請求項１】
原稿を読み取る画像読み取り手段と、画像データを格納する記憶手段と、画像読み取り手段により読み取られた画像データに基づいて原稿がカラー原稿かモノクロ原稿かを判別するカラー判別手段と、画像データに対し複数の処理条件で対応し得る画像処理手段と、通信媒体を介して画像データを利用側に送信する送信手段を有する画像処理装置であって、前記記憶手段に画像読み取り手段により読み取られた画像データを格納し、前記画像処理手段は、前記記憶手段に格納された画像データに対し、前記カラー判別手段の判別結果に従って、予め用意された処理条件の中の各々に適合する条件を設定し、この設定により処理した画像データを前記送信手段に渡すことを特徴とする画像処理装置。
【請求項２】
請求項１に記載された画像処理装置において、前記画像処理手段は、前記画像読み取り手段により読み取られた画像データに対し、前記カラー判別手段による予備読み取り時の判別結果に従って、予め用意された処理条件の中の各々に適合する条件を設定し、この設定により処理した画像データを画像データを格納する記憶手段に渡す動作を、別の動作モードとして行うことを特徴とする画像処理装置。
【請求項３】
請求項１又は２に記載された画像処理装置において、前記画像処理手段に色変換手段を備え、該色変換手段が、前記カラー判別手段によりモノクロと判別された画像データに対し、カラーからモノクロ画像へのデータ変換を行うことを特徴とする画像処理装置。
【請求項４】
請求項１乃至３のいずれかに記載された画像処理装置において、前記画像処理手段にカラー、モノクロ画像データを汎用フォーマットに変換する各々のフォーマット変換手段を備え、前記カラー判別手段の判別結果に従って各々のフォーマットに合う前記フォーマット変換手段を適用することを特徴とする画像処理装置。
【請求項５】
請求項１乃至４のいずれかに記載された画像処理装置において、前記画像処理手段に階調処理手段を備え、該階調処理手段が、前記カラー判別手段によりモノクロと判別された画像データに対し、２値化処理を行うことを特徴とする画像処理装置。
【発明の詳細な説明】
【０００１】
【発明の属する技術分野】
本発明は、ネットワーク接続したデジタルカラー複写機等のように、カラー原稿の読み取りが可能な手段（スキャナ）を持ち、その読み取り画像データをＰＣ等の利用端末に配信する機能を持つ画像処理装置（システム）に関し、特定すると、原稿がカラーかモノクロかに応じ各々に適合する処理条件を自動的に設定して画像処理を行うことにより、配信機能の利用の最適化を可能にする手段を備える前記画像処理装置に関する。
【０００２】
【従来の技術】
近年、複写機においてはネットワーク化が進み、複写機が持つ機能をネットワーク接続した他の端末から利用することが可能になってきている。例えば、デジタルカラー複写機にネットワーク接続されたコンピュータ等の他の利用端末へ、複写機のスキャナ部で読み取った画像データを配信する機能が提案され、徐々に活用され始めてきている。
この機能は、一般に配信スキャナ機能と呼ばれている。ユーザーは、この機能を使用する場合に、配信先である宛先や各種の読み取り条件を設定する必要がある。起動時には、設定された読み取り条件に従いスキャナを動作させ、読み取った原稿画像データに所定の処理を施し、配信先に転送するという動作を行う。
この配信スキャナ機能を利用する際のときの読み取り条件の設定及び設定に従って行われる画像読み取り・画像処理等に関する従来例として、下記特許文献１を示すことができる。
【０００３】
【特許文献１】
特開２０００−５００００号公報
【０００４】
特開２０００−５００００号には、ネットワークに接続されたスキャナをサーバを介してクライアントに提供する画像処理システムにおいて、ネットワーク上のスキャナによって得られた原稿画像データに対して、原稿の画像タイプに応じて最適な圧縮を施してクライアントに転送する画像処理システムを提供することを目的とするシステムが開示されている。ここでは、クライアントコンピュータがサーバからプレスキャン情報として、原稿の画像タイプ（ＲＧＢ、グレイスケール、ビットマップ）等のステータス情報を取得し、取得した情報を参照してユーザーによる本スキャンパラメータ（画像データタイプを含む）の設定が行われる。サーバ側は、このユーザーによるスキャンパラメータ等の設定によってスキャナサーバ機能を動作させ、設定された画像データタイプに応じて画像データの変換・処理を施し、クライアントへの転送を行う。
また、この従来例では、スキャナサーバ機能を利用する場合、プレスキャンし、その結果をネットワーク接続したクライアント側に示し、ユーザーによるスキャンパラメータの設定を行うことを前提としており、そのために、プレスキャン画像の外に、プレスキャン時のスキャンパラメータの設定に係わる画像タイプ、解像度、入力領域等の設定条件をユーザーに対して画面表示している。
【０００５】
【発明が解決しようとする課題】
ところで、上記従来例と異なり、配信スキャナ機能（スキャナサーバ機能）の利用時の読み取り条件の設定操作や起動の指令操作を複写機側で行うようにする場合がある。このような場合には、複写機の操作部から配信する宛先や読み取り条件等の配信スキャナ機能の設定操作を行うことになり、ここに、例えば上記従来例に示したような、画像タイプ、解像度、入力領域等の設定条件を指示する設定方法を導入して対処することが、これまでの一般的な方法であった。
しかしながら、スキャンパラメータに係わる条件を設定するといった方法による配信スキャナ機能の設定操作は、カラー複写機使用時の各種モード設定と大きく異なるため、カラー複写機に慣れ親しんだユーザーにとって複雑と感じることが多く、設定操作の間違えが生じ易く、所望の条件で読み取り画像データが処理されなかったり、所望の処理結果が得られない、特に原稿がカラーであるか、モノクロであるかにより望ましい処理条件があるにもかかわらず、それぞれに適合した設定が行われない、という問題が起きることがあった。また、配信スキャナ機能を使用する場合、操作位置であるカラー複写機の設置場所と、宛先で画像データの使用位置であるコンピュータ端末の設置場所が離れている場合が多く、設定の間違えはユーザーにとって恐ろしく作業効率を下げるものでもある。
本発明は、上述の従来技術における問題点に鑑みてなされたもので、その目的は、カラー原稿の読み取りが可能な手段（スキャナ）を持ち、その読み取り画像データをＰＣ等の利用端末に配信する機能を持つ画像処理装置において、間違えが生じ易い設定操作を避け、原稿がカラーかモノクロかに応じ各々に適合する処理条件を間違いなく設定するようにし、配信機能の利用の最適化を可能にする前記画像処理装置を提供することにある。
【０００６】
【課題を解決するための手段】
請求項１の発明は、原稿を読み取る画像読み取り手段と、画像データを格納する記憶手段と、画像読み取り手段により読み取られた画像データに基づいて原稿がカラー原稿かモノクロ原稿かを判別するカラー判別手段と、画像データに対し複数の処理条件で対応し得る画像処理手段と、通信媒体を介して画像データを利用側に送信する送信手段を有する画像処理装置であって、前記記憶手段に画像読み取り手段により読み取られた画像データを格納し、前記画像処理手段は、前記記憶手段に格納された画像データに対し、前記カラー判別手段の判別結果に従って、予め用意された処理条件の中の各々に適合する条件を設定し、この設定により処理した画像データを前記送信手段に渡すことを特徴とする画像処理装置である。
【０００７】
請求項２の発明は、請求項１に記載された画像処理装置において、前記画像処理手段は、前記画像読み取り手段により読み取られた画像データに対し、前記カラー判別手段による予備読み取り時の判別結果に従って、予め用意された処理条件の中の各々に適合する条件を設定し、この設定により処理した画像データを画像データを格納する記憶手段に渡す動作を、別の動作モードとして行うことを特徴とするものである。
【０００８】
請求項３の発明は、請求項１又は２に記載された画像処理装置において、前記画像処理手段に色変換手段を備え、該色変換手段が、前記カラー判別手段によりモノクロと判別された画像データに対し、カラーからモノクロ画像へのデータ変換を行うことを特徴とするものである。
【０００９】
請求項４の発明は、請求項１又は２に記載された画像処理装置において、前記画像処理手段にカラー、モノクロ画像データを汎用フォーマットに変換する各々のフォーマット変換手段を備え、前記カラー判別手段の判別結果に従って各々のフォーマットに合う前記フォーマット変換手段を適用することを特徴とするものである。
【００１０】
請求項５の発明は、請求項１又は２に記載された画像処理装置において、前記画像処理手段に階調処理手段を備え、該階調処理手段が、前記カラー判別手段によりモノクロと判別された画像データに対し、２値化処理を行うことを特徴とするものである。
【００１１】
【発明の実施の形態】
本発明の画像処理装置を添付する図面とともに示す以下の実施形態に基づき説明する。以下には、本発明の画像処理装置に係わる実施形態として、読み取り原稿画像を配信する機能を備えたデジタルカラー複写機へ実施した例を示す。
図１は、本実施形態に係わるデジタルカラー複写機のシステム構成を示すブロック図である。
図１に示すデジタルカラー複写機のシステムは、コピー機能と配信スキャナ機能を備えるもので、両方の機能に用いる要素として、同図に示すように、原稿１をカラー画像データとして読み取るスキャナユニット２、スキャナユニット２が読み取った画像データに対し画像処理を行うスキャナ補正部５、原稿画像がカラーか、モノクロかを判定する有彩色原稿判定部３を有する。また、コピー機能に用いる要素として、画像データを一旦格納するメモリＢ８、メモリＢ８のコントローラ７、メモリＢ８に格納するデータの圧縮処理、復元処理を行う圧縮処理部６、伸張処理部９、コピー画像１２を出力するプリンタユニット１１、プリンタユニット１１で印刷に用いる画像データを調整するプリンタ補正部１０を有する。さらに、配信スキャナ機能に用いる要素として、スキャナユニット２が読み取った画像データを一旦格納するメモリＡ４、外部ＰＣ１５等の利用端末へ配信する画像データとしてメモリＡ４の画像データを調整するスキャナコントローラ１３を有する。なお、画像データ等はシステム汎用バス１４を通して設定された機能の実行に必要なデータ転送を行う。
【００１２】
次に、上記した要素により構成されるデジタルカラー複写機の機能を動作とともに、より詳細に説明する。
先ず、コピー機能使用時の処理に関して説明する。なお、コピー機能使用時のビデオフローを図１上に破線にて示す。スキャナユニット２は、ＣＣＤ（光電変換素子）を用いた原稿走査ユニットで、原稿１をスキャニングすることで、Ｒ，Ｇ，Ｂ（Ｒ：ＲＥＤ，Ｇ：ＧＲＥＥＮ，Ｂ：ＢＬＵＥ）の３色よりなる色成分のデジタル画像データ（８ｂｉｔ）を生成する。読み取ったＲＧＢ画像データは、スキャナ補正部５にて、フィルタ処理，色補正（変換）処理，変倍処理が行われ、この処理部にて読み取った画像データに対する、鮮鋭度の調整，色味の補正や変換、拡大／縮小コピー時のデータ変換処理を行う。また、ここでの色補正処理によってＲＧＢ画像データは、Ｃ，Ｍ，Ｙ，Ｋ（Ｃ：Ｃｙａｎ，Ｍ：Ｍａｇｅｎｔａ，Ｙ：Ｙｅｌｌｏｗ，Ｋ：Ｂｌａｃｋ）の４色成分の画像データに変換される。このような変換処理を行う回路は、図２に示すように、入力順にフィルタ２１、色補正２２、変倍２３の各回路を接続して構成する。
次に、圧縮処理部６は、スキャナ補正後のＣＭＹＫ各色８ｂｉｔの画像データを圧縮処理し、内部のシステム汎用バス１４にデータを送出する。圧縮後のＣＭＹＫ画像データは汎用バスを通って、コントローラ７に送られ、コントローラ７はメモリＢ８にデータを蓄積する。これはプリントアウト時に紙詰まりを発生し印字を正常に終了しなかった場合においても、再びスキャナで原稿１を読み直すことを避けるためであったり、ソート処理を行うためである。
次いで、コントローラ７はメモリＢ８のＣＭＹＫ画像データをシステム汎用バス１４を介して伸張処理部９に送出する。伸張処理部９は、圧縮処理されたＣＭＹＫ画像データを再び各色８ｂｉｔに変換し、プリンタ補正部１０に送出する。プリンタ補正部１０ではＣＭＹＫ各色に対して、プリンタγ処理，プリンタ階調処理が行われ、プリンタの明暗特性の補正処理や階調数変換処理を行う。ここでの階調数変換処理では、誤差拡散やディザ処理を用いてＣＭＹＫ各色８ｂｉｔから各色１ｂｉｔへ変換を行う。このような補正・変換処理を行う回路は、図３に示すように、入力順にプリンタγ補正５１、階調変換処理５２の各回路を接続して構成する。
プリンタユニット１１はレーザービーム書込みによる電子写真プロセスを用いた転写紙印字ユニットで、ＣＭＹＫ各色１ｂｉｔの画像データを感光体に静電潜像として描画し、ＣＭＹＫトナーによる作像・転写処理後、転写紙にコピー画像１２を形成する。
【００１３】
このデジタルカラー複写機にはカラー自動判別機構を搭載している。コピー動作ににおけるカラー自動判別機構が果たす役割について説明すると、これは原稿の種類がカラーかモノクロかに応じて、各々に適した処理条件による動作モードを設定する必要がある場合に、操作者（ユーザー）が適正な設定であるかに注意を払い、必要な切り替えをするといったことを行う煩わしさを解消するために設けたものである。
図１を参照して、この機構を用いた動作に関して説明する。先ず、スキャナユニット２は、原稿１をプレスキャニング（本スキャニング前に予備に行う読み取り）することで、Ｒ，Ｇ，Ｂのデジタル画像データを生成する。プレスキャニングによって読み取ったＲＧＢ画像データは有彩色原稿判定部３に送出される。有彩色原稿判定部３は、後述する方式に従って、原稿が有彩色すなわちカラーであるかモノクロであるかを判定する。
この判定結果は、このシステム全体のコントローラとしての機能を持つＣＰＵ（図示せず）が検知し、本スキャニング動作時のスキャナ補正部５の色補正処理２３（図２参照）の処理特性を切り替える。即ち、色補正処理２３は、カラーと判定できる場合は通常処理と同じくＣＭＹＫ画像データ次段に送出し、モノクロと判定できる場合はＫ版の画像データだけを次段に送出するといった対応で処理する。これによって、自動的にカラー判別結果に従って、適正な処理を行うことが可能になる。なお、プレスキャニングを行わず有彩色原稿判定時の画像データを一時的にメモリＡ４に格納し、格納したデータをスキャナ補正部５に転送しても良い（図７参照）。このメモリＡ４を使用する方法によると、プレスキャンする手間を省くことが可能になり、生産性が向上する。ただし、スキャナユニット２からのデータを直接メモリＡ４に格納するので、メモリ容量の増大は避けられない。
【００１４】
ここで、有彩色原稿判定部３についてより詳細に説明する。
図４は、有彩色原稿判定部３を構成する処理回路ブロックの１例を示すもので、入力順に色画素ブロック判定部４１、彩色画像判定部４２の各回路ブロックを接続して構成する。
色画素ブロック判定部４１には、スキャナユニット２の走査によって読み取られた各画素毎のＲＧＢ各８ｂｉｔの画像データが入力される。ここでは、図５に示すように、４ライン×４画素の単位ブロック毎に判定を行う。
判定の手順は、ＲＧＢの差の最大値：ΔＲＧＢ＝ｄ［ｉ，ｊ］（最大色差）（ｄ［ｉ，ｊ］＝ｍａｘ｛ｒｉｊ，ｇｉｊ，ｂｉｊ｝−ｍｉｎ｛ｒｉｊ，ｇｉｊ，ｂｉｊ｝；ｉ，ｊ＝０，１，２，３）が算出される。次に、最大色差ｄ［ｉ，ｊ］が４ライン×４画素の単位ブロックで定められた閾値Ｔｈ１よりも大きい画素の数、即ち、有彩画素数｜Ｃ｜が単位ブロック内の１６画素について数えられる（Ｃ＝｛ｄ［ｉ，ｊ］｜ｄ［ｉ，ｊ］＞Ｔｈ１｝）。この有彩画素数｜Ｃ｜が予め定められた閾値Ｔｈ２より大きい時、色画素ブロック判定部４１はこの単位ブロックを有彩ブロックと判定して、有彩ブロック信号ＳＧ２＝Ｈを出力する。
彩色画像判定部４２は、図６に示すように、入力順に判定カウンタ４２Ａ、判定比較器４２Ｂの各回路ブロックを接続して構成する。判定カウンタ４２Ａは、色画素ブロック判定部４１から入力する有彩ブロック信号ＳＧ２＝Ｈのブロック数をカウントし、判定比較器４２Ｂは判定カウンタ４２Ａの計数値と比較値とを比較し、計数値が比較値を超えた場合に画層彩色信号ＳＧ１＝Ｈを出力する。即ち、ＳＧ１＝Ｈとなる原稿はカラー原稿、ＳＧ１＝Ｌとなる原稿はモノクロ原稿と判定する。なお、上記に例示した有彩色原稿判定処理についての詳細は、特開平６−０１４２０５号を参照することができる。
【００１５】
次に、本実施形態のデジタルカラー複写機における配信スキャナ機能使用時の処理に関して説明する。
図７は、配信スキャナ機能使用時のビデオフローを図中に破線で示したシステム構成図である。なお、ビデオフロー以外は図１と変わりがない。図７を参照して、配信スキャナ使用時の処理に関して説明すると、スキャナユニット２の走査によって読み取られたＲＧＢ各８ｂｉｔの画像データは、有彩色原稿判定部３とメモリＡ４に送出される。有彩色原稿判定部３は、原稿１がカラーであるかモノクロであるかを判定する。メモリＡ４は、ページバッファとして用いており、スキャナユニット２から受信する画像データを格納し、原稿の１ページ分のデータを受け取ると、格納したデータをスキャナ補正部５に送出する。その時には、有彩色原稿判定の結果を得ることが可能である。このように原稿を一旦ページバッファに格納し、スキャナ補正を行う前に、その原稿の有彩色原稿判定を実施できるので、プレスキャニングを行い、本スキャニングで原稿を読み直すという動作を行う必要が無くなる。
次のスキャナ補正部５では、受信した画像データに対してフィルタ処理，色補正処理，変倍処理を行い、圧縮処理部６に送信する。本例の圧縮処理部６は、配信スキャナ機能の動作時には圧縮処理を行わず、そのままの画像データをシステム汎用バス１４に送出する。これは、圧縮を掛けると、非可逆圧縮・伸張処理による画像データの劣化が起きるので、それを避ける為である。次に、画像データは汎用バス１４を通って、スキャナコントローラ１３に送られる。
スキャナコントローラ１３は、図８に示すように、入力順に階調処理３１、フォーマット処理３２、Ｉ／Ｆ処理３３の各回路ブロックを接続して構成する。階調処理３１では、配信スキャナ機能の動作時のモードに従った階調変換処理を行う。フォーマット処理３２では、配信時に一般的に用いられる形態の例えばＪＰＥＧ等のデータフォーマットに変換する。次のＩ／Ｆ処理３３では、外部ネットワークとのＩ／Ｆ処理を行い、画像データはネットワークを介して、例えば外部ＰＣ端末１５等に配信される。
【００１６】
次に、配信スキャナ機能使用時のカラー自動判別機構が果たす役割について説明する。これは、配信スキャナ機能を用いる場合に、原稿の種類がカラーかモノクロかに応じて、各々に適した処理条件を設定する必要があるが、その設定を自動化するための構成要素としての役割を持つ。設定の自動化は、操作者（ユーザー）が適正な設定であるかに注意を払い、必要な切り替えをするといったことを行う煩わしさを解消し、操作者が設定を間違える可能性を減少させる。
カラー原稿かモノクロ原稿かの判定は有彩色原稿判定部３により行い、その判定結果を受けて、このシステム全体のコントローラとしての機能を持つＣＰＵ（図示せず）は、配信スキャナ機能に関わる処理条件を各々に適した設定にする。
なお、ここでは、デジタルカラー複写機の配信スキャナ機能として実施しているので、このときに行う有彩色原稿判定を行うためのリソースはコピー機能（図１参照）との共有化が図られ、低コストでシステムを提供することを可能にする。
【００１７】
配信スキャナ機能使用時に、有彩色原稿判定の結果を受けて自動設定される下記（１）〜（３）に示す個々の処理条件について、その実施形態を説明する。
（１）　色変換処理
カラーデータはモノクロデータに対して色情報を保有するためデータ量が著しく大きくなる。配信スキャナ機能の使用時に、モノクロ原稿に対して必要のないカラー読み取りを行うことは意味のない情報を送ることになり、データ転送時間や転送先のメモリの使用効率を著しく低下させる。また、ネットワークに不必要に大きなデータは流すことは、ネットワークの混雑化につながり、配信スキャナ機能の使用者のみにとどまらず、ネットワークを共有している、例えばオフィス全体の作業効率の低下につながる。そこで、配信スキャナ機能の使用時にスキャンした原稿がモノクロと判別できる場合に、読み取りデータをモノクロデータに変換し、つまり送信データ量も少なくすることにより、問題の解決を図るようにする
図７の実施形態においては、スキャナ補正部５で受信した画像データに対するフィルタ処理、色補正処理、変倍処理を行うが、この時の色変換処理において、先の有彩色原稿判定部３の判定結果に基づいて処理を切り替える。
つまり、図９に示すように、入力順にフィルタ処理２１、色補正処理２２、変倍処理２３の各回路ブロックを接続して構成するスキャナ補正部５による色補正処理２２において、カラー原稿と判断できる場合（図９中▲１▼）は、デバイス（機種）固有のＲＧＢ各８ｂｉｔ画像データから汎用ＲＧＢ（配信先で対応可能なデータ形態）であるｓＲＧＢ各８ｂｉｔ画像データへの変換を行う。また、モノクロ原稿と判断できる場合（図９中▲２▼）には、ＲＧＢ各８ｂｉｔ画像データからグレースケールである輝度信号Ｋ（８ｂｉｔ）の画像データに変換を行う。
【００１８】
（２）　フォーマット変換処理
カラーデータを取り扱う場合に、その画像品質とデータ量の関係から非可逆圧縮の汎用フォーマットであるＪＰＥＧフォーマットがもっとも普及している。これに対し、モノクロデータはカラーデータほどデータ量が多くないため、そのまま及び可逆圧縮したＢＭＰフォーマット、ＴＩＦＦフォーマットで扱うことが一般的である。配信スキャナ機能の使用時にユーザーが、原稿毎にカラー／モノクロの判断と、フォーマットの設定を行うことは無駄であるとともに、設定を間違える場合もある。そこで、配信スキャナ機能使用時に使用する汎用フォーマットを自動で切り替えることによって、この問題の解決を図るようにする
図７の実施形態においては、スキャナコントローラ１３でスキャナ補正後の画像データに対し階調処理、フォーマット処理、Ｉ／Ｆ処理を行うが、この時のフォーマット処理において、先の有彩色原稿判定部３の判定結果に基づいて処理を切り替える。
つまり、図１０に示すように、入力順に階調処理３１、フォーマット処理３２、Ｉ／Ｆ処理３３の各回路ブロックを接続して構成するスキャナコントローラ１３によるフォーマット処理３２において、カラー原稿と判断できる場合には（図１０中▲１▼）、スキャナ補正後の画像データがそのまま転送されてくるＲＡＷ画像データ（フォーマットが定義されていない画像データ）から、カラー原稿のスキャナデータとしてきわめて一般的なＪＰＥＧ形式に変換し、モノクロ原稿と判断できる場合には（図１０中▲２▼）、ＪＰＥＧではなく、ＴＩＦＦ形式に変換する。
【００１９】
（３）　階調処理
ネットワークにて取り扱うモノクロ画像データは、なるべくデータ量を小さくするために、白黒データ１ｂｉｔからなる２値画像で取り扱う場合が広く普及している。この場合においても、配信スキャナ機能の使用時のユーザーが、原稿毎にカラー／モノクロの判断し、モノクロ時に２値化処理の設定を行うことは無駄であるとともに、指定を間違える場合もある。そこで、配信スキャナ機能使用時にカラー／モノクロ原稿の判別結果と階調処理を使用して、モノクロ画像と判断できる場合に、画像データを自動で２値化処理することによって、この問題の解決を図るようにする
図７の実施形態においては、スキャナコントローラ１３でスキャナ補正後の画像データに対し階調処理、フォーマット処理、Ｉ／Ｆ処理を行うが、この時の階調処理において、先の有彩色原稿判定部３の判定結果に基づいて処理を切り替える。
つまり、図１１に示すように、入力順に階調処理３１、フォーマット処理３２、Ｉ／Ｆ処理３３の各回路ブロックを接続して構成するスキャナコントローラ１３による階調処理３１において、カラー原稿と判断できる場合には（図１１中▲１▼）、転送されてくるｓＲＧＢ各８ｂｉｔ画像データに対して階調処理を行わずそのまま出力し、モノクロ原稿と判断できる場合には（図１１中▲２▼）、転送されてくる輝度信号Ｋ（８ｂｉｔ）に対して２値化処理（階調処理）してＫ（１ｂｉｔ）に変換して出力する。なお、２値化処理では、０〜２５５階調（８ｂｉｔ）の画像データに対して、閾値Ｔｈ＝１２８と比較して大きいものを“１”、小さいものを“０”とする、単純閾値２値化による階調処理を適用することが可能である。
【００２０】
【発明の効果】
（１）　請求項１の発明に対応する効果
カラー原稿かモノクロ原稿かを判別する手段の判別結果に従って、予め用意された処理条件の中の各々に適合する条件を設定し、この設定により処理した画像データを利用側に送信するというように、配信スキャナ機能の設定動作を装置側で自動で行うようにしたので、操作者（ユーザー）が適正な設定であるかに注意を払い、必要な切り替えをするといったことを行う煩わしさを解消し、操作者が設定を間違える可能性を減少させ、作業の効率化を図ることが可能になる。
（２）　請求項２の発明に対応する効果
上記（１）の効果に加えて、カラー原稿かモノクロ原稿かを判別する手段による予備読み取り時の判別結果に従って、予め用意された処理条件の中の各々に適合する条件を設定し、この設定により処理した画像データを画像データを格納する記憶手段に渡す動作を、配信スキャナ機能の使用時とは別の動作モードとして行うようにしたので、配信スキャナ機能不使用時に利用する他の機能（例えば複写機の場合にはコピー機能）の処理条件を最適化することが可能になる。また、カラー原稿かモノクロ原稿かを判別する手段を配信スキャナ機能と他の機能に共有化が図られ、低コストで処理システムを構成することが可能になる。
【００２１】
（３）　請求項３の発明に対応する効果
上記（１）、（２）の効果に加えて、カラー判別手段によりモノクロと判別された画像データに対し、カラーからモノクロ画像へのデータ変換を行うようにしたので、モノクロ原稿に対して必要のないカラー原稿に対応する変換を行い意味のない情報を送ることにより、データ転送時間や転送先のメモリの使用効率を低下させる配信動作を回避することが可能になる。
（４）　請求項４の発明に対応する効果
上記（１）〜（３）の効果に加えて、カラー判別手段の判別結果に従って各々のフォーマットに合う変換手段を適用するようにしたので、カラー原稿に対して必要のないモノクロ原稿に対応する変換を行い、データ転送時間や転送先のメモリの使用効率を低下させる配信動作を回避することが可能になる。
ことが可能になる。
（５）　請求項５の発明に対応する効果
上記（１）〜（４）の効果に加えて、カラー判別手段によりモノクロと判別された画像データに対し、２値化処理を行うようにしたので、配信スキャナ機能の使用時のユーザーが、原稿毎にカラー／モノクロの判断し、モノクロ時に２値化処理の設定を行うという無駄な作業を回避することが可能になる。
【図面の簡単な説明】
【図１】実施形態に係わるデジタルカラー複写機のシステム構成を示すブロック図で、コピー機能使用時のビデオフローを図中に破線で示す。
【図２】図１のスキャナ補正部の内部構成を示す。
【図３】図１のプリンタ補正部の内部構成を示す。
【図４】図１の有彩色原稿判定部の内部構成を示す。
【図５】有彩色原稿判定に係わる色画素ブロックの概念を説明する図である。
【図６】図４の彩色画像判定部の内部回路構成を示す。
【図７】実施形態に係わるデジタルカラー複写機のシステム構成を示すブロック図で、配信スキャナ機能使用時のビデオフローを図中に破線で示す。
【図８】図１のスキャナコントローラの内部構成を示す。
【図９】図１のスキャナ補正部のカラー／モノクロ時の設定を説明する図である。
【図１０】図１のスキャナコントローラのカラー／モノクロ時のフォーマット処理部の設定を説明する図である。
【図１１】図１のスキャナコントローラのカラー／モノクロ時の階調処理部の設定を説明する図である。
【符号の説明】
２…スキャナユニット、　　　　　　３…有彩色原稿判定部、
４…メモリＡ、　　　　　　　　　　５…スキャナ補正部、
１３…スキャナコントローラ、　　　２２…色補正処理部、
３１…階調処理部、　　　　　　　　３２…フォーマット処理部。
【図１】
2004112139.tif 000003
【図２】
2004112139.tif 000004
【図３】
2004112139.tif 000005
【図４】
2004112139.tif 000006
【図５】
2004112139.tif 000007
【図６】
2004112139.tif 000008
【図７】
2004112139.tif 000009
【図８】
2004112139.tif 000010
【図９】
2004112139.tif 000011
【図１０】
2004112139.tif 000012
【図１１】
2004112139.tif 000013